(57)【要約】【課題】通風機能を確保すると共にプライバシーを確保することが可能な建具及び建具の設置構造を提供する。【解決手段】建物１の窓部３の開口を覆い、窓部３における視認性を低下させる目隠し機能及び空気の流れを確保する通風機能を有する建具４であって、窓部３の上部側において複数の第１の水平ルーバー６が上下方向に配列されて構成された上部遮視部８と、上部遮視部８より下方において複数の第２の水平ルーバー７が上下方向に配列されて構成された下部遮視部９と、を備える構成とする。下部遮視部９における目隠し機能において、上部遮視部８よりも視認性を低くし、上部遮視部８における通風機能において、下部遮視部９よりも通風性能を高くする。【選択図】図１
2015055145.tif 000002
【特許請求の範囲】
【請求項１】
建物の窓部の開口を覆い、前記窓部における視認性を低下させる目隠し機能及び空気の流れを確保する通風機能を有する建具であって、
前記窓部の上部側において複数の第１の水平ルーバーが上下方向に配列された上部遮視部と、
前記上部遮視部より下方において複数の第２の水平ルーバーが上下方向に配列された下部遮視部と、を備え、
前記下部遮視部における前記目隠し機能は、前記上部遮視部よりも前記視認性が低く、
前記上部遮視部における前記通風機能は、前記下部遮視部よりも通風性能が高いことを特徴とする建具。
【請求項２】
前記複数の第１の水平ルーバーは、室内側が室外側よりも上方に配置されて傾斜し、
前記複数の第２の水平ルーバーは、前記第２の水平ルーバーの横断面における幅方向の中央部を頂点とし、前記頂点から前記横断面における幅方向の両側へ下方に傾斜していることを特徴とする請求項１に記載の建具。
【請求項３】
上下に隣接する前記第２の水平ルーバーにおいて、上に位置する前記第２の水平ルーバーの前記横断面における幅方向の両端部を結ぶ仮想の直線は、下に位置する前記第２の水平ルーバーと交差あるいは接するように配置されていることを特徴とする請求項２に記載の建具。
【請求項４】
前記第１及び第２の水平ルーバーは、光を透過させる透光性を有する素材によって形成されていることを特徴とする請求項１〜３の何れか一項に記載の建具。
【請求項５】
前記第２の水平ルーバーは、前記第１の水平ルーバーよりも剛性が高く、
前記第１の水平ルーバーの長手方向の中間部には、前記複数の第１の水平ルーバーを連結する連結材が取り付けられて上下方向に延在し、
前記連結材の下端は、前記第２の水平ルーバーに支持されている請求項１〜４の何れか一項に記載の建具。
【請求項６】
前記連結材には、前記第１の水平ルーバーに係合する切欠き部が形成されていることを特徴とする請求項５に記載の建具。
【請求項７】
請求項１〜６の何れか一項に記載の建具が前記窓部に対して設置されている建具の設置構造であって、
前記下部遮視部の上端は、室内床面から１５００ｍｍ〜１７００ｍｍの高さに配置されていることを特徴とする建具の設置構造。
【請求項８】
請求項１〜６の何れか一項に記載の建具が前記窓部に対して設置されている建具の設置構造であって、
前記窓部は、複数の障子を備え、
前記建具は、前記窓部が開放された際の前記開口に対応した外形の枠体を有し、
前記第１及び第２の水平ルーバーは、前記枠体によって両端部が支持され、
前記建具は、前記窓部の正面視における幅方向に沿ってスライド自在であることを特徴とする建具の設置構造。
【請求項９】
請求項１〜６の何れか一項に記載の建具が前記窓部に対して設置されている建具の設置構造であって、
前記窓部は、２枚引き違い形式の障子を備え、
前記建具の上端部には上方に延びる支持具が前記窓部の正面視における幅方向に配列され、
前記支持具には、ガイドレールに沿って移動可能なローラーが設けられ、
前記ガイドレールは、前記窓部の幅寸法に対応した長さを有し、前記窓部の上方の室内側壁面に取り付けられ、
前記建具は、前記ガイドレールから吊り下げられ、前記窓部の正面視における幅方向に移動可能であり、
前記窓部の下方の前記室内側壁面には、前記窓部の正面視における幅方向の中央にガイド片が取り付けられ、
前記建具の下端部は、前記ガイド片に対してスライド自在に係合していることを特徴とすることを特徴とする建具の設置構造。
【発明の詳細な説明】
【技術分野】
【０００１】
本発明は、建物の窓部に設けられる建具及び建具の設置構造に関する。
【背景技術】
【０００２】
例えば、換気を行うために建物の外壁に開口を設け、この開口に薄板状の複数の水平ルーバーを上下方向に配列した建物がある（例えば特許文献１参照）。この建物では、水平ルーバーの長手方向を水平方向に沿って配置し、水平ルーバーの幅方向において、室内側の端部を上方に、室外側の端部を下方に配置して、水平ルーバーを傾斜させている。このように水平ルーバーを幅方向において傾斜させることで、雨水の室内への侵入を抑制すると共に、水平ルーバー間の隙間を通じて空気を室内に流入させている。
【先行技術文献】
【特許文献】
【０００３】
【特許文献１】特開平１０−１４８０６９号公報
【発明の概要】
【発明が解決しようとする課題】
【０００４】
ここで、建物の窓部に複数の薄板状の水平ルーバーを上下方向に配列することで、外部からの視線を遮る建具がある。薄板状の水平ルーバーを幅方向において傾斜させて配置した場合には、通風機能を実現することはできるが、外部からの視認性を低下させる機能としては不十分であった。建物外部の人からの視線方向によっては、室内が見えてしまい、プライバシーを確保することが難しかった。具体的には、水平ルーバーの傾斜面に沿う方向から見た場合には、水平ルーバーが線状に配置されているだけであって、視線を遮ることはできず、建物の内部を外部から視認することができる状態となっていた。
【０００５】
そこで、通風機能を確保すると共にプライバシーを確保することが可能な建具及び建具の設置構造を提供することを目的とする。
【課題を解決するための手段】
【０００６】
本発明の建具は、建物の窓部の開口を覆い、窓部における視認性を低下させる目隠し機能及び空気の流れを確保する通風機能を有する建具であって、窓部の上部側において複数の第１の水平ルーバーが上下方向に配列された上部遮視部と、上部遮視部より下方において複数の第２の水平ルーバーが上下方向に配列された下部遮視部と、を備え、下部遮視部における目隠し機能は、上部遮視部よりも視認性が低く、上部遮視部における通風機能は、下部遮視部よりも通風性能が高いことを特徴としている。
【０００７】
この建具では、下部遮視部は上部遮視部より視認性が低く、上部遮視部は下部遮視部より通風性能が高くなっている。外部の人が窓部を見た場合に下部遮視部によって視線が邪魔されるので、室内の床面や室内の人の体の下部側が見え難くなる。これにより、プライバシーの確保がより重視される下部の遮視（見え難さ）の度合いを高め、下部ほど遮視の度合いが重視されない上部の遮視の度合いを低くしその代わりに通風性能を高めることで、プライバシーの確保と通風機能の確保とを両立させることができる。
【０００８】
ここで、複数の第１の水平ルーバーは、室内側が室外側よりも上方に配置されて傾斜し、複数の第２の水平ルーバーは、第２の水平ルーバーの横断面における幅方向の中央部を頂点とし、頂点から横断面における幅方向の両側へ下方に傾斜していると好適である。この構成では、上部遮視部の第１の水平ルーバーは、室内側が室外側よりも上方に配置されて傾斜しているので、第１の水平ルーバーの上面は、室外側へ斜め上方を向く面となる。外部の人が窓部を見た場合には、上部遮視部によって下方への視線が邪魔され、室内の床面や室内の人の下部側が見え難くなる。また、下部遮視部の第２の水平ルーバーは、横断面における幅方向の中央部を頂点として、幅方向の両方の端部へ下方に傾斜しているので、断面がへ字形（逆Ｖ字状）を成すように形成され、第２の水平ルーバーの室外側の部分は、室外側へ斜め上方を向く面を形成し、第２の水平ルーバーの室内側の部分は、室内側へ斜め上方を向く面を形成する。第２の水平ルーバーは、横断面における幅方向において屈曲されているので、例えば室外側の部分の隙間を通過した視線は、室外側の部分から折れ曲がるように配置された室内側の部分によって遮られる。第２の水平ルーバーは、室外側の部分と、室内側の部分とによって、遮ることができる視線の角度が異なるので、視線を遮ることができる領域を広げることができる。板状の水平ルーバーを所定の角度で傾斜させた場合には、傾斜角度と平行な視線を遮ることは困難であるが、第２の水平ルーバーを横断面における幅方向において折り曲げて配置することで、視線を遮ることができる領域を広げることができる。そのため、プライバシーの確保がより重視される下部の遮視の度合いを一層高めることができる。
【０００９】
さらに、上下に隣接する第２の水平ルーバーにおいて、上に位置する第２の水平ルーバーの横断面における幅方向の両端部を結ぶ仮想の直線は、下に位置する第２の水平ルーバーと交差あるいは接するように配置されていることが好適である。この構成では、上下に隣接する第２の水平ルーバーの間の隙間を通して、視認することが難しく、下部遮視部における視線を確実に遮ることができる。
【００１０】
また、第１及び第２の水平ルーバーは、光を透過させる透光性を有する素材によって形成されていてもよい。これにより、光を透過させる水平ルーバーを用いて、上部遮視部及び下部遮視部を構成することができ、目隠し機能及び通風機能を確保しつつ、室内に光を取り入れることができる。下部遮視部においては、第２の水平ルーバーを横断面における幅方向に重ねて配置することで、室内の状態が明確に見えてしまうことが抑制され、上部遮視部よりも下部遮視部の視認性を低くすることができる。
【００１１】
また、第２の水平ルーバーは、第１の水平ルーバーよりも剛性が高く、第１の水平ルーバーの長手方向の中間部には、複数の第１の水平ルーバーを連結する連結材が取り付けられて上下方向に延在し、連結材の下端は、第２の水平ルーバーに支持されている構成が挙げられる。この構成によれば、第１の水平ルーバーが連結材によって下方から支持され、連結材は第１の水平ルーバーよりも剛性が高い第２の水平ルーバーによって支持されるので、第１の水平ルーバーの長手方向における撓みを抑制することができる。
【００１２】
連結材には、第１の水平ルーバーに係合する切欠き部が形成されていることが好ましい。第１の水平ルーバーに係合する切欠き部が連結材に形成されていると、連結材を第１の水平ルーバーに対して差し込むだけで、上下方向に配列された複数の第１の水平ルーバーを連結して保持することができる。連結材に切欠き部が形成されているので、第１の水平ルーバーを加工せずに、連結材を用いて連結することができる。第１の水平ルーバーの撓みを抑制して所定の位置に配置することで、上部遮視部における目隠し機能及び通風機能を両立させることができる。
【００１３】
また、本発明の建具の設置構造は、上記の建具が窓部に対して設置されている建具の設置構造であって、下部遮視部の上端は、室内床面から１５００ｍｍ〜１７００ｍｍの高さに配置されていることを特徴としている。
【００１４】
この建具の設置構造では、下部遮視部の上端部が、室内の床面から１５００ｍｍ〜１７００ｍｍの高さに配置されているため、下部遮視部の上端部の位置を、平均的な身長の人の目の位置に対応させることができる。例えば建物の１階の窓部に面する道路を通行する人からの視線を下部遮視部によって遮ることができる。
【００１５】
また、本発明の建具の設置構造は、上記の建具が窓部に対して設置されている建具の設置構造であって、窓部は、複数の障子を備え、建具は、窓部が開放された際の開口に対応した外形の枠体を有し、第１及び第２の水平ルーバーは、枠体によって両端部が支持され、建具は、窓部の正面視における幅方向に沿ってスライド自在であることを特徴としている。
【００１６】
この建具の設置構造では、第１及び第２の水平ルーバーの両端部を支持する枠体を備える構成として、１枚の建具を構成することができる。１枚のみの建具を備えた設置構造とすることで、建具の厚みを抑えることができる。このような建具を窓部の室内側に配置すると、室内壁からの張り出しを抑えることができ、省スペース化を図り室内空間を有効に活用することができる。
【００１７】
また、本発明の建具の設置構造は、上記の建具が窓部に対して設置されている建具の設置構造であって、窓部は、２枚引き違い形式の障子を備え、建具の上端部には上方に延びる支持具が窓部の正面視における幅方向に配列され、支持具には、ガイドレールに沿って移動可能なローラーが設けられ、ガイドレールは、窓部の幅寸法に対応した長さを有し、窓部の上方の室内側壁面に取り付けられ、建具は、ガイドレールから吊り下げられ、窓部の正面視における幅方向に移動可能であり、窓部の下方の室内側壁面には、窓部の正面視における幅方向の中央にガイド片が取り付けられ、建具の下端部は、ガイド片に対してスライド自在に係合していることを特徴としている。
【００１８】
この建具の設置構造によれば、窓部の正面視における幅方向の中央に取り付けられたガイド片によって、建具の下端部の位置を規制することができ、窓部の下方の室内側壁面からレールや枠の突出をなくして、省スペース化を図り室内空間を有効に活用することができる。また、窓部の下方の室内側壁面に窓部の正面視における幅方向の中央に対応した位置にガイド片を取り付けるだけで、建具の下端部の位置を規制することができるので、既存の建物に対しての後設置を容易に行うことが可能である。
【発明の効果】
【００１９】
本発明によれば、室内のプライバシーを確保すると共に、室内への空気の流入を好適に行うことができる建具及び建具の設置構造を提供することができる。
【図面の簡単な説明】
【００２０】
【図１】本発明の実施形態に係る建具が設置された建物の窓部を室内側から示す正面図である。
【図２】図１中の建具の上端部及び設置構造を示す断面図である。
【図３】図１中の建具の下端部及び設置構造を示す断面図である。
【図４】図１中の建具の水平ルーバー及び連結材を示す概略図である。
【図５】図４中の連結材の下端部を拡大して示す側面図である。
【図６】第１変形例に係る連結材を示す概略図である。
【図７】第２変形例に係る連結材を示す概略図である。
【発明を実施するための形態】
【００２１】
以下、図面を参照しつつ、本発明に係る建具の実施形態について詳細に説明する。
【００２２】
図１に示されるように、建物１の外周壁２には窓部３が設けられ、窓部３の開口を室内側から覆うように建具４が設置されている。建物１は、例えば３階建ての工業化住宅であり、各階の外周壁２の内側に、室内空間が形成されている。外周壁２は、壁の厚さ方向から見て、略矩形状に形成された例えば板状のＡＬＣ（軽量気泡コンクリート）等の防火性能を有する部材によって構成されている。建物１は鉄骨造の軸組架構を備え、外周壁２は軸組架構に対してＡＬＣが固定されることで構成されている。
【００２３】
外周壁２には、壁の厚み方向に貫通する矩形の開口部５が設けられ、開口部５に窓部３が設置されている。窓部３は、２枚引き違い形式の窓であり、開口部５の内縁に沿って配置された窓枠に、スライド自在の窓を２枚備えている。一方の窓を移動させて片側に寄せて窓部３を開放して、室内に空気を流入させることができる。図１は、室内側から窓部３を示すものであり、右側の窓が左側に寄せられて右半分に開口が形成され、窓部３は開放された状態となっている。図１に示す状態では、建具４は、窓部３の右半分の開口を覆うように配置されている。
【００２４】
建具４は、上下方向に配列された複数の第１水平ルーバー６及び第２水平ルーバー７を有するものであり、目隠し機能及び通風機能を備え、窓部３の室内側に配置されている。目隠し機能とは、外部の人から視線を遮り、視認性を低下させる機能をいう。建具４を通して物体を見た場合に、物体の輪郭をぼかすことで物体を認識できないようにして視認性を低下させるものでもよい。建具４は、窓部３を開放した際の開口の大きさ以上であり、窓１枚分の大きさを有する。建具４は、上下方向に隣接する上部遮視部８及び下部遮視部９を備え、上部遮視部８には薄板状の第１水平ルーバー６が配置され（図２参照）、下部遮視部９にはへ字状（逆Ｖ字状）の第２水平ルーバー７（図３参照）が配置されている。
【００２５】
建具４は矩形の建具枠１０を有し、建具枠１０は、上下方向に離間して平行に配置され窓部３の幅方向に延在する上端枠１０ａ及び下端枠１０ｂと、窓部３の幅方向に離間して平行に配置され上下方向に延在する一対の側端枠１０ｃ，１０ｃとを有する。上端枠１０ａの長手方向の両端部は、一対の側端枠１０ｃ，１０ｃの上端部に連結され、下端枠１０ｂの長手方向の両端部は、一対の側端枠１０ｃ，１０ｃの下端部に連結されている。建具枠１０は、建具４の外郭を構成し、第１水平ルーバー６及び第２水平ルーバー７を支持するものである。
【００２６】
上部遮視部８は、例えば１６本の第１水平ルーバー６によって構成され、第１水平ルーバー６の長手方向は水平方向に配置され、上端枠１０ａ及び下端枠１０ｂと平行に配置されている。図２に示されるように、第１水平ルーバー６は幅方向（第１水平ルーバー６の横断面における幅方向）において傾斜して配置され、室内側の端部６ａは上方に配置され、室外側の端部６ｂは下方に配置されている。第１水平ルーバー６の上面６ｃは、室外側へ斜め上方に向く面を成している。
【００２７】
複数の第１水平ルーバー６は、上下方向に所定の間隔で配置され、長手方向の両端部はそれぞれ一対の側端枠１０ｃ，１０ｃに支持されている。上下方向に隣接する第１水平ルーバー６同士の間には例えば２５ｍｍの隙間が形成されている。第１水平ルーバー６の室外側の端部６ｂ同士の間隔ｄ１は２５ｍｍとなっている。上下方向に隣接する第１水平ルーバー６において、上側の第１水平ルーバー６の下端部（室外側の端部６ｂ）は、下側の第１水平ルーバー６の上端部（室内側の端部６ａ）と上下方向において同じ位置に配置されている。第１水平ルーバー６の水平方向に対する傾斜角θ１は、例えば４５度程度である。
【００２８】
下部遮視部９は、例えば２４本の第２水平ルーバー７によって構成され、第２水平ルーバー７の長手方向は水平方向に配置され、上端枠１０ａ及び下端枠１０ｂと平行に配置されている。図３に示されるように、第２水平ルーバー７は、幅方向（第２水平ルーバー７の横断面における幅方向）の中央部を頂点７ａとして、頂点７ａから幅方向の両側の端部（室内側の端部７ｂ，室外側の端部７ｃ）まで下方に傾斜している。第２水平ルーバー７の幅方向において、室外側の部分７ｄの上面は、室外側へ斜め上方に向く面を成し、室内側の部分７ｅの上面は、室内側へ斜め上方に向く面を成している。第２水平ルーバー７の室内側の端部７ｂ及び室外側の端部７ｃは、同じ高さとなるように配置され、端部７ｂ，７ｃが下端部となる。
【００２９】
複数の第２水平ルーバー７は、上下方向に所定の間隔で配置され、長手方向の両端部はそれぞれ一対の側端枠１０ｃ，１０ｃに支持されている。上下方向に隣接する第２水平ルーバー７同士の間には例えば１２ｍｍの隙間が形成されている。第２水平ルーバー７の下端部同士（端部７ｂ同士、又は端部７ｃ同士）の間隔ｄ２は１２ｍｍとなっている。上下方向に隣接する第２水平ルーバー７において、上側の第２水平ルーバー７の下端部７ｂ，７ｃを結ぶ仮想線は、下側の第２の水平ルーバーの上端部（幅方向における中央部、頂点７ａ）と上下方向において同じ位置に配置されている。第２水平ルーバー７の室外側の部分７ｄの水平方向に対する傾斜角θ２は、例えば４５度であり、第２水平ルーバー７の室内側の部分７ｅの水平方向に対する傾斜角θ３は、例えば４５度である。第２水平ルーバー７の頂点７ａにおける室外側の部分７ｄと室内側の部分７ｅとの交差角θ４は、例えば９０度である。
【００３０】
また、上部遮視部８の最下段に配置された第１水平ルーバー６の下端部（室外側の端部６ｂ）は、下部遮視部９の最上段に配置された第２水平ルーバー７の上端部（頂点７ａ）と、同じ高さに配置されている。長手方向に直交する断面において、第２水平ルーバー７の室外側の部分７ｄは、第１水平ルーバー６と平行に傾斜している。
【００３１】
また、下部遮視部９は、下端枠１０ｂから上方に張り出す板状の張出バー２１を有する。張出バー２１の長手方向は水平方向に下端枠１０ｂに沿って配置されている。張出バー２１の長手方向の両端部は、一対の側端枠１０ｃにそれぞれ支持されている。張出バー２１は、最下段の第２水平ルーバー７と下端枠１０ｂとの間の隙間を埋めるように配置されている。張出バー２１の上端２１ａは、最下段の第２水平ルーバー７の下端部と同じ高さ位置に配置されている。
【００３２】
第１水平ルーバー６及び第２水平ルーバー７は、光を透過させる透光性を有する素材（透明素材）によって形成されている。これにより、屋外の光を室内に取り入れることができる。また、第１水平ルーバー６及び第２水平ルーバー７が透明素材によって形成されている場合には、第１の水平ルーバー及び第２の水平ルーバーの表面に凹凸加工を施すことで、入射した光を屈折させてもよい。
【００３３】
第１水平ルーバー６及び第２水平ルーバー７は同じ素材から形成され、例えば、つや消し処理が施されたポリカーボネートによって形成されている。第１水平ルーバー６及び第２水平ルーバー７は、同じ素材から形成されていてもよく、異なる素材から形成されていてもよい。同様に、張出バー２１は、第１水平ルーバー６及び第２水平ルーバー７と同じ素材から形成されていてもよく、異なる素材から形成されていてもよい。
【００３４】
建具４では、上部遮視部８と下部遮視部９との境界Ｌ１は、上下方向における中央よりも下方に配置されている。上部遮視部８は、上下方向において、下部遮視部９よりも広い領域を占めている。上部遮視部８の高さは、例えば４２５ｍｍであり、下部遮視部の高さは、例えば３７５ｍｍである。上部遮視部８と下部遮視部９との境界Ｌ１は、室内床面から例えば１６００ｍｍの位置に配置されている。なお、上部遮視部８と下部遮視部９との境界Ｌ１は、室内床面から例えば１５００ｍｍ〜１７００ｍｍの位置に配置されていることが好ましい。また、建具４が建物１の１階の窓部３に設置されている場合には、上部遮視部８と下部遮視部９との境界Ｌ１は、窓部３の外側の地面から例えば２０００ｍｍ〜２２００ｍｍの位置に配置されていることが好ましい。下部遮視部９の最も高い位置に配置された第２水平ルーバー７の頂点７ａの位置が、上部遮視部８と下部遮視部９との境界Ｌ１となる。
【００３５】
また、建具４は、複数の第１水平ルーバー６同士を連結する連結材１１を備えている。図１に示されるように、連結材１１は、建具４の正面視における幅方向の中央で上下方向に延在して複数の第１水平ルーバー６を連結している。図４は、図１中の建具の第１水平ルーバー、第２水平ルーバー及び連結材を示す概略図である。連結材１１は、板状を成し、厚み方向が第１水平ルーバー６の長手方向に沿うように配置されている。連結材１１の幅ｗ１１は、第１水平ルーバー６の幅ｗ６よりも少し広くなっている。連結材１１には複数の切欠き部１２が形成され、これらの切欠き部１２に第１水平ルーバー６がそれぞれ嵌められる。切欠き部１２は、連結材１１の幅方向（建具４の厚みに沿う方向）において、一方の端部（室内側の端部）１１ａから切り込まれ、他方の端部（室外側の端部）１１ｂの近傍まで形成されている。連結材１１は、建具４に対して室外側から差し込まれて装着される。
【００３６】
図５は、連結材の下端部を拡大して示す側面図である。切欠き部１２は、第１水平ルーバー６の外形に対応し、側方から見た場合に、一方の端部１１ａから斜め下方に延びている。切欠き部１２は、第１水平ルーバー６の厚さに対応する幅ｗ１２を有し、第１水平ルーバー６の幅方向の長さに対応する長さ（深さ）Ｌ１２を有する。連結材１１を第１水平ルーバー６に装着した状態において、切欠き部１２の上側の縁１２ａは、第１水平ルーバー６の上面に当接し、切欠き部１２の下側の縁１２ｂは、第１水平ルーバー６の下面に当接している。連結材１１は、第１水平ルーバー６に対して例えば接着剤を用いて接着されている。
【００３７】
また、連結材１１の下端部１１ｃは、下部遮視部９の最上段の第２水平ルーバー７の室外側の部分７ｄの傾斜面に対応するように傾斜している。連結材１１を第１水平ルーバー６に装着した状態において、連結材１１の下端部１１ｃは下部遮視部９の最上段の第２水平ルーバー７の室外側の部分７ｄの傾斜面と当接している。第２水平ルーバー７は、断面がへ字状に形成され、第１水平ルーバー６よりも剛性が高く、連結材１１を下方から支持することができる。連結材１１は、水平ルーバー６，７と同じ素材から形成されたものでもよく、異なる素材から形成されたものでもよい。
【００３８】
また、連結材１１を第１水平ルーバー６に対して装着した状態において、連結材１１の上端部１１ｄは、上端枠１０ａの下面に当接している。
【００３９】
次に建具４の設置構造について説明する。
窓部３は、窓（窓ガラス及びサッシ）と建具４との間に２枚引き違い形式の障子（不図示）を備えている。障子は、窓部３の開口部５（図２及び図３参照）に配置されている。
【００４０】
図２に示されるように、建具４は、外周壁２の室内側の壁面２ａに固定された支持部材１３から吊り下げられ、窓部３の正面視における幅方向に移動可能に支持されている。支持部材１３は、窓部３の幅寸法に対応する長さを有し開口部５の上端に沿って配置され、Ｌ字型の取付金物１４を介して壁面２ａに固定されている。支持部材１３の底面１３ａには、長手方向に連続する溝部１３ｂが形成され、溝部１３ｂ内にガイドレール１５が配置されている。
【００４１】
ガイドレール１５は、支持部材１３の長手方向に沿って配置され、窓部３の幅寸法に対応した長さを有する。ガイドレール１５は、支持部材１３に固定された天板１５ａと、天板１５ａの幅方向（ガイドレール１５の横断面における幅方向）の両側から下方に屈曲された一対の側板１５ｂと、一対の側板１５ｂの下端から内側に屈曲された一対の底板１５ｃと、一対の底板１５ｃの内側の端部から斜め上方に屈曲された一対の屈曲片１５ｄとを有する。一対の屈曲片１５ｄは、ガイドレール１５の幅方向において離間し、屈曲片１５ｄ間の隙間は、ガイドレール１５の長手方向において連続している。ガイドレール１５の天板１５ａは、支持部材１３の溝部１３ｂの底（下方に向く面）にネジ止めされている。
【００４２】
建具４の上端には、ガイドレール１５に沿って移動する複数のローラー１６が設けられている。建具４の上端枠１０ａには、上端枠１０ａの長手方向に所定の間隔で配置された複数の固定ピン（支持具）１７が設置されている。固定ピン１７は、上端枠１０ａから上方に延在し、固定ピン１７の上端部には、ローラー１６を回転可能に支持する回転軸１８が設けられている。
【００４３】
固定ピン１７の上端部はガイドレール１５内に挿入され、回転軸１８はガイドレール１５の幅方向の両側に突出し、一対のローラー１６を支持している。一対のローラー１６は、ガイドレール１５の幅方向の両側に配置された屈曲片１５ｄ上を回転移動する。
【００４４】
図３に示されるように、建具４の下端部は、振れ止め金具１９によって拘束され、室内側へ移動しないように構成されている。振れ止め金具１９は、開口部５より下方の外周壁２の室内側の壁面２ａに固定されている。振れ止め金具１９は、窓部３の正面視における幅方向の中央の１箇所に配置されている。
【００４５】
振れ止め金具１９は、壁面２ａに固定される固定片１９ａと、固定片１９ａの上端から室内側へ屈曲された連結片１９ｂと、連結片１９ｂの室内側の端部から上方へ屈曲されたガイド片１９ｃとを有する。連結片１９ｂは、壁面２ａから室内側へ突出し、建具４の厚み方向の中央まで延びている。ガイド片１９ｃは、連結片１９ｂから上方へ張り出し、建具４の移動方向に所定の長さを有する。
【００４６】
建具４の下端枠１０ｂの底面には、ガイド片１９ｃが挿入されるガイド溝２０が形成されている。ガイド溝２０は、下端枠１０ｂの全長にわたり形成され、ガイド溝２０の幅は、ガイド片１９ｃの厚みに対応している。ガイド溝２０は、下端枠１０ｂの横断面における幅方向の中央に形成されている。下端枠１０ｂの室内側の部分１０ｄは、下方へ張り出し、振れ止め金具１９を室内側から覆っている。下端枠１０ｂの室外側の部分１０ｅは、振れ止め金具１９の連結片１９ｂの上方に配置されている。下端枠１０ｂの室内側の部分１０ｄは、室外側の部分１０ｅよりも下方に張り出し、振れ止め金具１９の下端と対応する位置まで配置されている。振れ止め金具１９のガイド片１９ｃは、ガイド溝２０内に挿入されて、建具４の厚み方向の位置を拘束し、建具４の下端部が室内側へ移動することを防止する。例えば、室外から流入する風によって、建具４が室内側に押されても、建具４の下端部が振れ止め金具１９によって拘束されているので、建具４が室内側に移動することが防止される。
【００４７】
次にこのように構成された建具４の作用について説明する。
建具４は、窓部３の片方の窓の大きさに対応しているので、窓部３を全開にした場合において、窓部３の開口を覆うことができる。窓部３の建具４が配置されていない部分については、カーテンを広げることによって、室外からの人の視線を遮ることができる。
【００４８】
建具４の上部側には上部遮視部８が設けられ、板状の第１水平ルーバー６が一定の間隔ｄ１で配置されているので、建物１の外部から窓部３の開口を通過した空気は、第１水平ルーバー６間の隙間を通って建具４を通過し室内に流入する。窓部３の開口を通過した空気は、第１水平ルーバー６に沿って斜め上方に流れて、上部遮視部８を通過して室内に流入する。また、室内の空気を建物１の外部に流出させる場合には、室内の空気は第１水平ルーバー６間の隙間を通って建具４を通過し、窓部３の開口を通り抜けて建物１の外部に流出する。室内の空気は、第１水平ルーバー６に沿って斜め下方に流れて、上部遮視部８を通過して室外に流出する。このようにして、建物１の通風が確保される。
【００４９】
建具４の下部側には下部遮視部９が設けられ、へ字状の第２水平ルーバー７が一定の間隔ｄ２で配置されている。建物１の外部から窓部３の開口を通過した空気は、上部遮視部８と比較すると流量は少ないものの第２水平ルーバー７の隙間を通り室内に流入する。また、室内の空気は、上部遮視部８と比較して流量は少ないものの第２の水平ルーバー７の隙間を通り、窓部３の開口を通って建物１の外部に流出する。
【００５０】
また、建物１の外部の人が建具４の下部側に視線を向けた場合には、へ字状の第２水平ルーバー７によって視線を遮ることができる。建物１の外部から下部遮視部９を見下ろした場合には、第２水平ルーバー７の室外側の部分７ｄによって視線を遮ることになる。また、上下に隣接する第２水平ルーバー７において、上に配置された第２水平ルーバー７の下端部７ｂ，７ｃと下に配置された第２水平ルーバー７の頂点７ａとが同じ高さに配置されているので、下部遮視部９は建物１の外部から水平方向に向けられた視線を遮ることができる。
【００５１】
さらに、建物１の外部から下部遮視部９を見上げた場合には、斜め上方への視線は第２水平ルーバー７の室外側の部分７ｄ間の隙間を通過するが、この隙間を通過した視線は第２水平ルーバー７の室内側の部分７ｅによって遮られる。このようにして、下部遮視部９によって、外部からの視線を全ての角度において遮ることができる。第２水平ルーバー７は、透明な素材で形成されているが、つや消し処理が施され、室内の物体の輪郭がぼやけて見えるので室内の物の形を明確に認識することができないので、室内のプライバシーを保護することができる。
【００５２】
また、建物１の外部の人が建具４の上部側に視線を向けた場合には、第１水平ルーバー６によって視線を遮ることができる。建物１の外部から下部遮視部９を見下ろした場合には、第１水平ルーバーによって視線を遮ることになる。また、上下に隣接する第１水平ルーバー６において、上に配置された第１水平ルーバー６の下端部（室外側の端部６ｂ）と下に配置された第１水平ルーバー６の上端部（室内側の端部６ａ）とが同じ高さに配置されているので、上部遮視部８は建物１の外部から水平方向に向けられた視線を遮ることができる。
【００５３】
建物１の外部から上部遮視部８を見上げた場合には、斜め上方への視線は第１水平ルーバー６間の隙間を通過するが、この隙間を通過した視線は、室内の天井に向かうことになる。そのため、室内の床面や、室内に存在する人物の下部側を外部の人が視認することは不可能であるため、室内のプライバシーを保護することができる。
【００５４】
このような建具４では、上部側と比較してプライバシーの保護がより重視される下部側の遮視の度合（視線を遮る度合）を高め、下部側ほどプライバシーの保護が重視されない上部側の遮視の度合を低くしその代りに通風性能を高めることができる。建具４によれば、プライバシーを保護及び通風性能を両立させて、建物１を使用する人の高い要求を満たすことができる。
【００５５】
また、建具４の水平ルーバー６，７は、透明な素材から形成されているので、室内に太陽光を取り入れることができる。建具４によれば、プライバシーを保護し、通風性能を確保して、さらに採光性能を向上させることができる。
【００５６】
また、建具４では、複数の第１水平ルーバー６を連結する連結材１１が取り付けられて上下方向に延在し、連結材１１の下端部１１ｃは、最上段の第２水平ルーバー７に支持されている。複数の第１水平ルーバー６が連結材１１によって下方から支持され、連結材１１は第１水平ルーバー６よりも剛性が高い第２水平ルーバー７によって支持されるので、第１水平ルーバー６の長手方向における撓みを抑制することができる。
【００５７】
連結材１１には、第１水平ルーバー６に係合する切欠き部１２が形成されているので、連結材１１を第１水平ルーバー６に対して差し込むだけで、上下方向に配列された複数の第１水平ルーバー６を連結して保持することができる。連結材１１に切欠き部１２が形成されているので、第１水平ルーバー６を加工せずに、連結材１１を用いて連結することができる。連結材１１によって第１水平ルーバー６の撓みを抑制して、上下に隣接する第１水平ルーバー６同士の間隔を適切に維持することで、上部遮視部８における目隠し機能及び通風機能を両立させることができる。
【００５８】
また、建具４の設置構造によれば、上部遮視部８と下部遮視部９との境界Ｌ１が、室内の床面から１６００ｍｍの高さに配置されているので、下部遮視部９の上端の位置を平均的な身長の人の目の位置に対応させることができる。そのため、建物１の１階の窓部３に面する道路を通行する人からの視線を下部遮視部９によって好適に遮ることができる。
【００５９】
また、建具４は、第１水平ルーバー６及び第２水平ルーバー７を支持する建具枠１０を備え、窓１枚分に対応する建具として構成されているので、建具の設置構造において建具４の厚さを抑えることができる。このような建具４が窓部３の室内側に配置されているので、外周壁２の室内側の壁面２ａからの張り出しを抑えることができ、省スペース化を図り室内空間を有効に活用することができる。２枚引き違い形式の建具とした場合には、室内側への張り出し量が増えることになる。
【００６０】
建具４の設置構造によれば、窓部３の正面視における幅方向の中央に振れ止め金具１９が配置され、壁面２ａから張り出すように設置されているので、建具４の下端部の位置を壁面２ａから一定の位置に維持することができる。建具４が左側に配置されたときには、振れ止め金具１９は建具４の右側の端部と係合し、建具４が右側に配置されたときには、振れ止め金具１９は建具４の左側の端部と係合している。これにより、窓部３の下方の壁面２ａに建具４を案内するためのレールや枠体を設ける必要がないので、壁面２ａからの張り出す部分を減らすことができる。また、窓部３の幅方向の中央に対応した位置に振れ止め金具１９を取り付けるだけで、建具４の下端部の位置を規制することができるので、既存の建物１の壁面２ａに対しての後設置を容易に行うことができる。
【００６１】
次に、図６を参照して、第１変形例に係る連結材３１について説明する。図６に示される連結材３１は、上部遮視部８及び下部遮視部９に装着される点で、上部遮視部８に装着される上記の連結材１１と異なっている。
【００６２】
連結材３１は、建具４の正面視における幅方向の中央で上下方向に延在して複数の第１水平ルーバー６及び第２水平ルーバー７を連結する。連結材３１は、板状を成し、厚み方向が第１水平ルーバー６及び第２水平ルーバー７の長手方向に沿うように配置されている。連結材３１の幅ｗ３１は、第２水平ルーバー７の室外側の部分７ｄの幅ｗ７ｄよりも少し広くなっている。連結材３１には複数の切欠き部３２，３３が形成され、切欠き部３２に第１水平ルーバー６が嵌められ、切欠き部３３に第２水平ルーバー７が嵌められる。
【００６３】
切欠き部３２，３３は、連結材３１の幅方向において、一方の端部（室内側の端部）３１ａから切り込まれ、他方の端部（室外側の端部）３１ｂの近傍まで形成されている。連結材３１は、建具４に対して室外側から差し込まれて装着される。切欠き部３２は、第１水平ルーバー６の配置に対応し、連結材３１の上部側に配置され、切欠き部３３は、第２水平ルーバー７の配置に対応し、連結材３１の下部側に配置されている。
【００６４】
切欠き部３２は、第１水平ルーバー６の室外側の部分の外形に対応し、側方から見た場合に、一方の端部３１ａから斜め下方に延びている。切欠き部３２は、第１水平ルーバー６の厚さに対応する幅を有し、第１水平ルーバー６の幅方向の長さの半分に対応する長さ（深さ）を有する。
【００６５】
切欠き部３３は、第２水平ルーバー７の室外側の部分７ｄの外形に対応し、側方から見た場合に、一方の端部３１ａから斜め下方に延びている。切欠き部３３は、第２水平ルーバー７の厚さに対応する幅を有し、第２水平ルーバー７の室外側の部分７ｄの幅方向の長さに対応する長さ（深さ）を有する。
【００６６】
連結材３１を第１水平ルーバー６及び第２水平ルーバー７に装着した状態において、切欠き部３２の上側の縁は第１水平ルーバー６の室外側の部分の上面に当接し、切欠き部３２の下側の縁は第１水平ルーバー６の室外側の部分の下面に当接し、切欠き部３３の上側の縁は第２水平ルーバー７の室外側の部分７ｄの上面に当接し、切欠き部３３の下側の縁は第２水平ルーバー７の室外側の部分７ｄの下面に当接している。
【００６７】
また、連結材３１の下端部３１ｃは、室内側が上方に配置され室外側が下方に配置されて傾斜している。連結材３１を第１水平ルーバー６及び第２水平ルーバー７に対して装着した状態において、連結材３１の上端部３１ｄは、上端枠１０ａの下面に当接している。
【００６８】
このような連結材３１を備えた建具によれば、複数の第１水平ルーバー６の荷重を、複数の第２水平ルーバー７によって受けることができ、複数の第１水平ルーバー６の荷重を複数の第２水平ルーバー７に分散させて保持することができる。また、連結材３１によれば、最上段の第１水平ルーバー６から最下段の第２水平ルーバー７まで、全ての第１水平ルーバー６及び第２水平ルーバー７を一体として連結して保持することができる。連結材３１によれば、第１水平ルーバー６同士の間隔だけでなく、第２水平ルーバー７同士の間隔を好適に維持することができるので、通風機能及び目隠し機能を好適に維持することができる。
【００６９】
次に、図７を参照して、第２変形例に係る連結材４１，５１について説明する。図７に示される連結材４１，５１は、室内側から上部遮視部８又は下部遮視部９に装着される点で、室外側から上部遮視部８に装着される上記の連結材１１と異なっている。
【００７０】
連結材４１は、建具４の幅方向の中央で上下方向に延在して複数の第１水平ルーバー６を連結し、連結材５１は、建具４の幅方向の中央で上下方向に延在して複数の第２水平ルーバー７を連結する。連結材４１，５１は、板状を成し、厚み方向が第１水平ルーバー６及び第２水平ルーバー７の長手方向に沿うように配置されている。
【００７１】
連結材４１の幅ｗ４１は、第１水平ルーバー６の室内側の部分の幅よりも少し広くなっている。連結材４１には複数の切欠き部４２が形成され、切欠き部４２に第１水平ルーバー６が嵌められる。
【００７２】
切欠き部４２は、連結材４１の幅方向（側面視）において、一方の端部（室外側の端部）４１ａから切り込まれ、他方の端部（室内側の端部）４１ｂの近傍まで形成されている。連結材４１は、建具４に対して室内側から差し込まれて装着される。切欠き部４２は、第１水平ルーバー６の配置に対応している。
【００７３】
切欠き部４２は、第１水平ルーバー６の室内側の部分の外形に対応し、側方から見た場合に、一方の端部４１ａから斜め上方に延びている。切欠き部４２は、第１水平ルーバー６の厚さに対応する幅を有し、第１水平ルーバー６の幅方向（第１水平ルーバー６の横断面における幅方向）の長さの半分に対応する長さ（深さ）を有する。
【００７４】
連結材５１の幅ｗ５１は、第２水平ルーバー７の室内側の部分７ｅの幅ｗ７ｅよりも少し広くなっている。連結材５１には複数の切欠き部５２が形成され、切欠き部５２に第２水平ルーバー７が嵌められる。
【００７５】
切欠き部５２は、連結材５１の幅方向（側面視）において、一方の端部（室外側の端部）５１ａから切り込まれ、他方の端部（室内側の端部）５１ｂの近傍まで形成されている。連結材５１は、建具４に対して室内側から差し込まれて装着される。切欠き部５２は、第２水平ルーバー７の配置に対応している。
【００７６】
切欠き部５２は、第２水平ルーバー７の室内側の部分７ｅの外形に対応し、側方から見た場合に、一方の端部５１ａから斜め下方に延びている。切欠き部５２は、第２水平ルーバー７の厚さに対応する幅を有し、第２水平ルーバー７の室内側の部分７ｅの幅方向（第２水平ルーバー７の横断面における幅方向）の長さに対応する長さ（深さ）を有する。
【００７７】
連結材４１を第１水平ルーバー６に装着した状態において、切欠き部４２の上側の縁は第１水平ルーバー６の室内側の部分の上面に当接し、切欠き部４２の下側の縁は第１水平ルーバー６の室内側の部分の下面に当接している。連結材５１を第２水平ルーバー７に装着した状態において、切欠き部５２の上側の縁は第２水平ルーバー７の室内側の部分７ｅの上面に当接し、切欠き部５２の下側の縁は第２水平ルーバー７の室内側の部分７ｅの下面に当接している。
【００７８】
また、連結材４１の下端部４１ｃは、室内側が上方に配置され室外側が下方に配置されて傾斜している。連結材４１の上端部４１ｄは、室内側が上方に配置され室外側が下方に配置され、最上段の第１水平ルーバー６の下面に対応して傾斜している。連結材４１を第１水平ルーバー６に対して装着した状態において、連結材４１の上端部４１ｄは、最上段の第１水平ルーバー６の下面に当接している。
【００７９】
また、連結材５１の下端部５１ｃは、室外側が上方に配置され室内が下方に配置されて傾斜している。連結材５１の上端部５１ｄは、室内側が上方に配置され室外側が下方に配置、最下段の第１水平ルーバー６の下面に対応して傾斜している。連結材５１を第２水平ルーバー７に対して装着した状態において、連結材５１の上端部５１ｄは、最下段の第１水平ルーバー６の下面に当接している。
【００８０】
このような連結材４１，５１を備えた建具によれば、連結材４１によって複数の第１水平ルーバー６を連結し、連結材５１によって複数の第２水平ルーバー７を連結することができる。連結材５１の上端部５１ｄは、最下段の第１水平ルーバー６の下面に当接しているので、最下段の第１水平ルーバー６を下方から支持することができる。連結材４１は、複数の第１水平ルーバー６の間隔を維持することができ、連結材４１に伝達された荷重は、最下段の第１水平ルーバー６を介して、連結材５１及び複数の第２水平ルーバー７に伝達される。これにより、複数の第１水平ルーバー６の撓みを抑制することができる。また、連結材４１の上端部４１ｄは、最上段の第１水平ルーバー６の下面に当接しているので、最上段の第１水平ルーバー６の撓みを抑制することができる。
【００８１】
このように、連結材４１，５１によれば、最上段の第１水平ルーバー６から最下段の第２水平ルーバー７まで、全ての第１水平ルーバー６及び第２水平ルーバー７を一体として連結して保持することができる。連結材４１，５１によれば、第１水平ルーバー６同士の間隔及び第２水平ルーバー７同士の間隔を好適に維持することができるので、通風機能及び目隠し機能を好適に維持することができる。複数に分割された連結材４１，５１によって、第１水平ルーバー６及び第２水平ルーバー７の撓みを防止することができる。
【００８２】
本発明は、前述した実施形態に限定されず、本発明の要旨を逸脱しない範囲で下記のような種々の変形が可能である。
【００８３】
上記実施形態では、第１の水平ルーバー６として板状のルーバーを採用し、第２の水平ルーバー７としてへ字状のルーバーを採用することで、下部遮視部における視認性を上部遮視部よりも低くし、上部遮視部における通風性能を下部遮視部よりも高くしているが、第１の水平ルーバー及び第２の水平ルーバーは、同一形状のものでもよい。例えば、第１の水平ルーバーの配置間隔を、第２の水平ルーバーの配置間隔よりも広くすることで、下部遮視部の視認性を上部遮視部よりも低下させると共に上部遮視部の通風性能を下部遮視部よりも高くしてもよい。
【００８４】
また、第１の水平ルーバーの傾斜角と、第２水平ルーバーの傾斜角とを異なる角度にしてもよい。例えば、同一形状の第１の水平ルーバー及び第２の水平ルーバーを用いて、第１の水平ルーバーの傾斜角を第２の水平ルーバーの傾斜角よりも緩くすることで、下部遮視部の視認性を上部遮視部よりも低下させると共に上部遮視部の通風性能を下部遮視部よりも高くしてもよい。下部遮視部において視認できる領域を、上部遮視部において視認できる領域よりも狭くすることで、視認性を低下させてもよい。
【００８５】
また、薄板状の水平ルーバーは、厚み方向に直交する面が平坦であるものに限定されず、例えば緩やかに湾曲するものでもよい。へ字状の水平ルーバーは、厚み方向に直交する面が平坦であるものに限定されず、例えば緩やかに湾曲するものでもよい。また、第２水平ルーバーは、中央部で屈曲された形状に限定されず、長手方向に直交する断面が例えば円弧状に湾曲するものでもよい。また、第２水平ルーバーは、横断面における幅方向の中央部からずれた位置で、屈曲されているものでもよい。室外側の部分７ｄと室内側の部分７ｅの長さが幅方向において異なるものでもよい。例えば、室外側の部分７ｄは、室内側の部分７ｅよりも幅方向において長いものでもよい。
【００８６】
また、上記の実施形態では、第２水平ルーバー７の頂点７ａにおける室外側の部分７ｄと室内側の部分７ｅとの交差角θ４を９０度としているが、交差角θ４はその他の角度でもよく、９０度以上でもよく、９０度以下でもよい。
【００８７】
また、上記の実施形態では、上下に隣接する第２水平ルーバー７において、上に位置する第２水平ルーバー７の幅方向の両端部（７ｂ，７ｃ）を結ぶ仮想の直線は、下に位置する第２水平ルーバー７と交差するように配置されているが、第２水平ルーバー７同士の間隔を狭くして、下の第２水平ルーバー７の頂点７ａが、上の第２水平ルーバー７の幅方向の両端部を結ぶ仮想の直線よりも上方に配置されるようにしてもよい。
【００８８】
また、上実施形態では、連結材１１を備える構成としているが、建具４は連結材１１を備えていないものでもよい。また、連結材１１は、第１水平ルーバー６及び第２水平ルーバー７の長手方向の中央に配置されたものに限定されず、中央からずれた位置に配置されていてもよい。また、第１水平ルーバー６及び第２水平ルーバー７の長手方向において、複数の連結材１１を備えるものでもよい。また、室内側及び室外側の両方から第１水平ルーバー６又は第２水平ルーバー７を挟んで支持する連結材としてもよい。
【００８９】
上記実施形態では、建物１を工業化住宅として説明しているが、例えば店舗、事務所、工場、倉庫、病院などその他の建物の窓部に建具４を適用することができる。
【００９０】
上記実施形態では、住宅の１階の窓部３に対して建具４を適用しているが、２階や３階など、その他の階の窓部に対して建具４を適用してもよい。
【００９１】
本発明の建具は、建物同士が近接している都市部の建物、人通りが多い道路に面する建物などに利用すると、外部からの視線を遮ると共に、通風性能を確保することができ、特に有効である。また、仮設住宅などの建物に適用してもよい。
【００９２】
上記実施形態では、建具４は窓部３に対して室内側に配置されているが、建具４は窓部３に対して室外側に配置されていてもよい。
【００９３】
上記実施形態では、建具４は、窓部３の正面視における幅方向に対してスライド自在に支持されているが、建具４は、例えば上下方向に移動可能に支持されているものでもよく、建具４の一端側が支持されて揺動するものでもよい。建具４は、例えば外周壁２に固定されて移動しないものでもよい。
【００９４】
上記実施形態では、建具４は、建物１の外周壁２に設けられた窓部３に対して配置されているが、建具４は、例えば建物内の壁に設けられた窓部に対して配置されるものでもよい。例えば、建物内の各部屋を区切る間仕切り壁に設けられた窓部に対して建具を適用してもよい。例えばビルなどの建物内において、部屋と通路とを区切る壁に設けられた窓部に対して建具を適用することもできる。
【００９５】
窓部３は、２枚引き違い形式の窓に限定されず、その他の種類の窓でもよい。例えば、片引き窓、両袖片引き窓、出窓、上げ下げ窓、外開き窓、内倒し窓、滑り出し窓、折りたたみ窓などその他の窓に、建具を適用することができる。また、建具の形状は、矩形状のものに限定されず、窓の外形に合わせて、例えば円形のものでもよい。
【００９６】
また、上記実施形態では、建具４の下端枠１０ｂにガイド溝２０が設けられ、窓部３の下方の室内側の壁面２ａから張り出す振れ止め金具１９によって、建具４の下端部の位置を拘束しているが、建具４の下端枠１０ｂの壁面２ａとは反対側の面にガイド片１９ｃを係合させることで建具４の下端部の位置を拘束してもよい。また、建具４の下端枠１０ｂの底面にローラーを設け、室内床面や建具４の下方に配置されたレールに沿って移動させる構成としてもよい。
【００９７】
また、建具４の上端部は、天井に設けられたレールに沿って移動可能に支持されるものでもよい。
【００９８】
上記の建具の設置構造では、窓部３は障子を備える構成としているが、窓部３は障子を備えていないものでもよい。また、障子は２枚引き違い形式のものに限定されず、その他の形式の障子でもよい。
【００９９】
上記の建具の設置構造では、１枚の建具４を備える構成としているが、窓部３に対して、複数枚の建具を設置してもよい。
【符号の説明】
【０１００】
１…建物、２…外周壁、２ａ…室内側の壁面、３…窓部、４…建具、６…第１水平ルーバー、６ａ…室内側の端部、６ｂ…室外側の端部、７…第２水平ルーバー、７ａ…頂点、７ｂ…室内側の端部、７ｃ…室外側の端部、８…上部遮視部、９…下部遮視部、１０…建具枠、１０ａ…上端枠（建具の上端部）、１０ｂ…下端枠（建具の下端部）、１１，３１，４１，５１…連結材、１２…切欠き部、１５…ガイドレール、１６…ローラー、１７…固定ピン（支持具）、１９…振れ止め金具、１９ｃ…ガイド片、２０…ガイド溝、Ｌ１…上部遮視部と下部遮視部との境界。
【図１】
2015055145.tif 000003
【図２】
2015055145.tif 000004
【図３】
2015055145.tif 000005
【図４】
2015055145.tif 000006
【図５】
2015055145.tif 000007
【図６】
2015055145.tif 000008
【図７】
2015055145.tif 000009